(57)【特許請求の範囲】
【請求項１】
各種データを表示するための表示装置を備えた電子計算機において、
前記表示装置の画面に表示されている画像をキャプチャ画像として取り込む画面取り込み手段と、
入力された関数式に基づき生成されたグラフの画像を第１のレイヤ画像とし、前記キャプチャ画像を第２のレイヤ画像とし、前記第１のレイヤ画像と第２のレイヤ画像とを合成して表示する表示状態と前記第２のレイヤ画像を表示する表示状態とを切替える切替手段と、
前記キャプチャ画像をキー入力操作可能な通常の画像と視覚的に区別可能な表示形態に加工処理する加工処理手段と、
前記切替手段により前記第２のレイヤ画像が表示される際に、前記加工処理手段によって加工処理されたキャプチャ画像を前記表示装置に表示する表示制御手段と
を具備したことを特徴とする電子計算機。
【請求項２】
前記加工処理手段による加工処理として、前記キャプチャ画像に前記表示装置の画面から取り込んだ画像であることを明示するための情報を付加するか、あるいは、前記キャプチャ画像からキー入力操作に関係しない情報を削除することを含むことを特徴とする請求項１記載の電子計算機。
【請求項３】
各種データを表示するための表示装置を制御するコンピュータによって実行されるプログラムであって、
前記コンピュータを、
前記表示装置の画面に表示されている画像をキャプチャ画像として取り込む画面取り込み手段、
入力された関数式に基づき生成されたグラフの画像を第１のレイヤ画像とし、前記キャプチャ画像を第２のレイヤ画像とし、前記第１のレイヤ画像と第２のレイヤ画像とを合成して表示する表示状態と前記第２のレイヤ画像を表示する表示状態とを切替える切替手段、
前記キャプチャ画像をキー入力操作可能な通常の画像と視覚的に区別可能な表示形態に加工処理する加工処理手段、
前記切替手段により前記第２のレイヤ画像が表示される際に、前記加工処理手段によって加工処理されたキャプチャ画像を前記表示装置に表示する表示制御手段、
として機能させるためのコンピュータ読み取り可能なプログラム。
【発明の詳細な説明】
【技術分野】
【０００１】
本発明は、表示画面の画像をキャプチャ画像として取り込む画面キャプチャ機能を有する電子計算機及びプログラムに関する。
【背景技術】
【０００２】
従来から、任意に入力された関数式を計算実行し、その計算結果を表示したり、さらに、その入力された関数式をグラフ化して表示することのできる「グラフ関数電卓」と呼ばれる小型の電子計算機が広く実用化されている。
【０００３】
この種のグラフ関数電卓には、グラフ関数を学習するための学習支援ツールとして、「ｅ−Ａｃｔｉｖｉｔｙ」と呼ばれる電子教材機能が備えられているものがある。教育現場では、教師が複雑な関数電卓操作を生徒に分かりやすく説明するために、この電子教材機能を利用して操作ガイドを作成することがあり、その操作ガイドとして、全画面をキャプチャした画像が用いられる（例えば、特許文献１参照）
【先行技術文献】
【特許文献】
【０００４】
【特許文献１】特開２００８−１７１３８４号公報
【発明の概要】
【発明が解決しようとする課題】
【０００５】
しかしながら、上述した電子教材機能において、全画面をキャプチャした画像を操作ガイドとして画面に表示した場合に、キー入力操作で表示されると通常の画像と同じであるため、ユーザが勘違いしてキー入力操作をすることがある。当然の事ながら、キャプチャ画像は画面データを取り込んだだけの固定画像であるため、その画像に対してキー入力操作を行うことはできない。
【０００６】
また、画面の背景として、このような全画面をキャプチャした画像が設定されている場合も同様であり、背景だけが表示されているときに通常の画像と区別が付かず、誤ってキー入力操作を行ってしまうことがある。
【０００７】
本発明は前記のような点に鑑みなされたもので、表示画面の画像をキャプチャ画像として取り込んだ際に、そのキャプチャ画像と通常の画像とを視覚的に区別して表示することのできる電子計算機及びプログラムを提供することを目的とする。
【課題を解決するための手段】
【０００８】
本発明に係る電子計算機は、各種データを表示するための表示装置を備えた電子計算機において、前記表示装置の画面に表示されている画像をキャプチャ画像として取り込む画面取り込み手段と、入力された関数式に基づき生成されたグラフの画像を第１のレイヤ画像とし、前記キャプチャ画像を第２のレイヤ画像とし、前記第１のレイヤ画像と第２のレイヤ画像とを合成して表示する表示状態と前記第２のレイヤ画像を表示する表示状態とを切替える切替手段と、前記キャプチャ画像をキー入力操作可能な通常の画像と視覚的に区別可能な表示形態に加工処理する加工処理手段と、前記切替手段により前記第２のレイヤ画像が表示される際に、前記加工処理手段によって加工処理されたキャプチャ画像を前記表示装置に表示する表示制御手段とを具備したことを特徴とする。
【０００９】
また、本発明の請求項２は、請求項１記載の電子計算機において、前記加工処理手段による加工処理として、前記キャプチャ画像に前記表示装置の画面から取り込んだ画像であることを明示するための情報を付加するか、あるいは、前記キャプチャ画像からキー入力操作に関係しない情報を削除することを含むことを特徴とする。
【発明の効果】
【００１５】
本発明によれば、表示画面の画像をキャプチャ画像として取り込んだ際に、そのキャプチャ画像と通常の画像とを視覚的に区別して表示することができる。
【図面の簡単な説明】
【００１６】
【図１】図１は本発明の一実施形態に係る電子計算機の外観構成を示す正面図である。
【図２】図２は同実施形態における電子計算機の回路構成を示すブロック図である。
【図３】図３は同実施形態における電子計算機に備えられたＣＰＵの機能構成を示すブロック図である。
【図４】図４は同実施形態における電子計算機に備えられたＣＰＵによって実行される画面取り込みに関する処理動作を示すフローチャートである。
【図５】図５は同実施形態における電子計算機に備えられたＣＰＵによって実行される画面設定に関わる処理動作を示すフローチャートである。
【図６】図６は同実施形態における電子計算機に備えられたＣＰＵによって実行されるグラフ表示に関わる処理動作を示すフローチャートである。
【図７】図７は同実施形態における電子計算機に備えられたＣＰＵによって実行される電子教材作成に関する処理動作を示すフローチャートである。
【図８】図８は同実施形態における電子計算機に備えられたＣＰＵによって実行される電子教材実行に関わる処理動作を示すフローチャートである。
【図９】図９は同実施形態における電子計算機の表示部に通常画像が表示された状態を示す図である。
【図１０】図１０は同実施形態における電子計算機の表示部に加工処理後のキャプチャ画像が表示された状態を示す図である。
【図１１】図１１は同実施形態における電子計算機の表示部に加工処理後のキャプチャ画像が表示された状態を示す図である。
【発明を実施するための形態】
【００１７】
以下、図面を参照して本発明の実施形態を説明する。
【００１８】
図１は本発明の一実施形態に係る電子計算機の外観構成を示す正面図である。この電子計算機は、「グラフ関数電卓」と呼ばれ、入力された関数式や統計データに対応するグラフを描画表示することができる。
【００１９】
この電子計算機１０の本体には、本体正面の下端から３分の２程度の範囲でキー入力部１２が設けられ、上端から３分の１程度の範囲で表示部１３が設けられる。
【００２０】
キー入力部１２には、数値・記号キー１２ａ、関数・演算子キー１２ｂ、「ＭＥＮＵ」キー１２ｃ、「ＳＨＩＦＴ」キー１２ｄ、「Ｃｏｌｏｒ」キー１２ｅ、「Ｃａｐｔｕｅｒ」キー１２ｆ、「Ｇｒａｐｈ」キー１２ｇ、「切替」キー１２ｈ、カーソルキー１２ｉ、そしてファンクションキー「Ｆ１」〜「Ｆ６」等が備えられる。
【００２１】
数値・記号キー１２ａは、数字，記号などの個々のキーを配列した数値・記号の入力用キー群からなる。
【００２２】
関数・演算子キー１２ｂは、演算式や関数式を入力する際に操作される各種の関数記号キーや、「＋」「−」「×」「÷」「＝」などの演算子キーからなる。
【００２３】
「ＭＥＮＵ」キー１２ｃは、四則計算式や関数計算式等の任意の計算式を入力して演算処理を行わせる演算モード、入力された関数式に対応したグラフの描画処理を行わせるグラフモード、グラフ関数の学習処理を行わせるｅ−Ａｃｔｉｖｉｔｙモード、任意のプログラムを入力して対応する計算処理を行わせるプログラムモード等、各種の動作モードの選択設定メニューを表示させる際に操作される。
【００２４】
「ＳＨＩＦＴ」キー１２ｄは、キー入力部１２における各キートップの左上に記述された各種の記号や機能を指定入力する際に該当するキーと合わせて操作される。
【００２５】
「Ｃｏｌｏｒ」キー１２ｅは、入力データやグラフなどに対して任意の色を指定する際に操作される。
【００２６】
「Ｃａｐｔｕｅｒ」キー１２ｆは、現在表示中の画面の画像をキャプチャ画像として取り込む際に操作される。
【００２７】
「Ｇｒａｐｈ」キー１２ｇは、入力データを元にして任意のグラフを描く際に操作される。
【００２８】
「切替」キー１２ｈは、２つのレイヤを有し、レイヤ１の画像とレイヤ２の画像を切り替えて表示可能な表示部１３に対し、その切り替え指示を行う際に操作される。
【００２９】
カーソルキー（「↑」「↓」「←」「→」）１２ｉは、それぞれ表示されたデータの選択，送り操作や、カーソルＣＬの移動操作を行なう際等に操作される。
【００３０】
ファンクションキー「Ｆ１」〜「Ｆ６」は、種々の動作モードに応じて表示部１３の画面下端に沿って配列表示される各種選択メニューを選択させる際に操作される。
【００３１】
また、表示部１３には、例えば縦１８６ドット×横３７８ドットの表示範囲を有するカラー表示可能な液晶表示装置が用いられている。この表示部１３は、レイヤ１の画像とレイヤ２の画像を切り替えて表示したり、合成して表示することが可能な構成を有する。
【００３２】
図２は電子計算機１０の回路構成を示すブロック図である。
【００３３】
電子計算機１０は、マイクロコンピュータであるＣＰＵ１１を備えている。ＣＰＵ１１は、プログラムの起動により回路各部を動作させて、電卓機能や関数グラフ表示機能など、電子計算機１０に備えられた各種機能を実行する。このＣＰＵ１１には、図１に示したキー入力部１２、表示部１３の他に、記憶装置１４、ＲＡＭ１５、カードＩＦ（インタフェース）１６、通信制御部１８などが接続されている。
【００３４】
記憶装置１４は、ＲＯＭなどのメモリデバイスから構成され、本発明を実現するための表示制御プログラム１４ａの他、各種データ及びプログラムを記憶している。
【００３５】
ＲＡＭ１５は、ＣＰＵ１１の処理動作に必要な各種データを記憶している。このＲＡＭ１５には、表示部１３の画面上に表示するためのデータが展開される表示データ記憶領域１５ａの他、第１レイヤ画像記憶領域１５ｂ、第２レイヤ画像記憶領域１５ｃ、キャプチャ画像記憶領域１５ｄ、電子教材記憶領域１５ｅが設けられている。
【００３６】
第１レイヤ画像記憶領域１５ｂには、表示部１３のレイヤ１に表示される画像が記憶される。
【００３７】
第２レイヤ画像記憶領域１５ｃには、表示部１３のレイヤ２に表示される画像が記憶される。
【００３８】
キャプチャ画像記憶領域１５ｄには、キー入力部１２に設けられた「Ｃａｐｔｕｅｒ」キー１２ｆの操作により、現在表示中の画面データがキャプチャ画像として取り込まれて記憶される。
【００３９】
電子教材記憶領域１５ｅには、ｅ−Ａｃｔｉｖｉｔｙモードで使用される学習支援のための電子教材データが記憶される。なお、この電子教材データについては、後に図７および図８を参照して説明する。
【００４０】
カードＩＦ１６は、外部記録媒体であるメモリカード１７に記録されたデータの読み出し／書き込みのための処理を行う。このメモリカード１７には、プログラムや画像などのデータが記録される。
【００４１】
通信制御部１８は、図示せぬＵＳＢ（Universal Serial Bus）を介して接続された外部端末との間のデータ通信、あるいは所定の通信回線を介して無線により接続される外部端末との間のデータ通信を行う。
【００４２】
図３は電子計算機１０に備えられたＣＰＵ１１が表示制御プログラム１４ａを実行することにより果たす機能構成を示すブロック図である。
【００４３】
ＣＰＵ１１は、表示画面のキャプチャを行う場合において、画面取り込み１１ａ、加工処理部１１ｂ、表示制御部１１ｃ、背景設定部１１ｄ、電子教材作成部１１ｅとして機能する。
【００４４】
画面取り込み１１ａは、表示部１３の画面に表示されている画像をキャプチャ画像として取り込むための制御を行う。
【００４５】
加工処理部１１ｂは、画面取り込み１１ａによって得られたキャプチャ画像をキー入力操作可能な通常の画像と視覚的に区別可能な表示形態に加工処理するための制御を行う。
【００４６】
表示制御部１１ｃは、ユーザ操作に応じて、加工処理部１１ｂによって加工処理されたキャプチャ画像を表示部１３に表示するための制御を行う。
【００４７】
背景設定部１１ｄは、キャプチャ画像を表示部１３の画面の背景として設定するための制御を行う。
【００４８】
電子教材作成部１１ｅは、キャプチャ画像を学習支援のための電子教材データに貼り付けるための制御を行う。
【００４９】
このような構成において、電子計算機１０は画面キャプチャ機能を備えている。これは、現在表示中の画面データをキャプチャ画像として取り込む機能であり、キー入力部１２に設けられた「Ｃａｐｔｕｅｒ」キー１２ｆを操作することで起動される。このキャプチャ画像は、画面の背景として利用したり、学習支援のための電子教材データに貼り付けることができる。しかし、このようなキャプチャ画像が画面上に表示されていると、見た目では、実際にキー入力操作可能な通常の画像との区別が付かないため、ユーザが戸惑うことがある。
【００５０】
そこで、本発明では、キャプチャ画像に加工処理を施して、通常の画像と区別可能に表示することを特徴とする。
【００５１】
この加工処理として、キャプチャ画像に表示部１３の画面から取り込んだ画像であることを明示するための情報を付加するか、あるいは、キャプチャ画像からキー入力操作に関係しない情報を削除することを含む。なお、加工処理後のキャプチャ画像の表示例については後に図９乃至図１１を参照して説明する。
【００５２】
また、キャプチャ画像の加工処理は、以下のいずれかのタイミングで行うものとする。  
・保存時（図４参照）
・表示時（図６，図８参照）
・背景設定時（図５参照）
・電子教材作成時（図７参照）
なお、どのタイミングで加工処理を行うのかは、キー入力部１２に設けられた「ＭＥＮＵ」キー１２ｃの操作によって、表示部１３に表示される図示せぬ設定画面において、ユーザが任意に設定できるものとする。
【００５３】
以下に、それぞれのタイミングでの処理動作について、フローチャートを参照しながら説明する。なお、以下の各フローチャートで示される処理は、コンピュータであるＣＰＵ１１が記憶装置１４に記憶された表示制御プログラム１４ａを読み込むことにより実行されるものである。
【００５４】
（ａ）画面取り込み（キャプチャ画像の保存）
図４は電子計算機１０に備えられたＣＰＵ１１によって実行される画面取り込みに関する処理動作を示すフローチャートである。
【００５５】
今、何らかの画像データがＲＡＭ１５の表示データ記憶領域１５ａに展開され、表示部１３の画面上に表示されている。この状態で、ユーザがキー入力部１２に設けられた「Ｃａｐｔｕｅｒ」キー１２ｆを押下操作すると（ステップＡ１１のＹｅｓ）、ＲＡＭ１５の表示データ記憶領域１５ａに展開されている現在表示中の画面データがＣＰＵ１１に取り込まれる（ステップＡ１２）。
【００５６】
ＣＰＵ１１に取り込まれた画像データは、例えば「Ｎｏ．１」などのデータ名が付されて（ステップＡ１３）、ＲＡＭ１５のキャプチャ画像記憶領域１５ｄにキャプチャ画像として保存される（ステップＡ１５）。このとき、予めキャプチャ画像の加工モードが設定されている場合に、当該画像データに対し、通常の画像と視覚的に区別するための加工処理が施される（ステップＡ１４）。
【００５７】
（ｂ）背景設定
図５は電子計算機１０に備えられたＣＰＵ１１によって実行される画面設定に関わる処理動作を示すフローチャートである。
【００５８】
ユーザがキー入力部１２に設けられた「ＭＥＮＵ」キー１２ｃの操作により「画面設定」を選択すると（ステップＢ１１のＹｅｓ）、図示せぬセットアップ画面が表示部１３に表示される（ステップＢ１２）。
【００５９】
このセットアップ画面には、画面設定に関する各種項目が設けられており、その中で「グラフ背景」の項目を設定すると（ステップＢ１３のＹｅｓ）、グラフ表示時に背景として用いられる画像データが選択され（ステップＢ１４）、その画像データがＲＡＭ１５の第２レイヤレイヤ画像記憶領域１５ｃに保存される（ステップＢ１６）。このとき、上述したキャプチャ画像が背景として選択されたとすると、予めキャプチャ画像の加工モードが設定されている場合に、当該画像データに対し、上述した加工処理が施される（ステップＢ１５）。
【００６０】
（ｃ）グラフ表示（キャプチャ画像の表示２）
図６は電子計算機１０に備えられたＣＰＵ１１によって実行されるグラフ表示に関わる処理動作を示すフローチャートである。
【００６１】
今、ＲＡＭ１５の第２レイヤ画像記憶領域１５ｃに背景として用いられる画像データが既に記憶されているものとする。
【００６２】
ユーザがキー入力部１２に設けられた「Ｇｒａｐｈ」キー１２ｇの操作によりグラフモードを設定した後（ステップＣ１１のＹｅｓ）、数値・記号キー１２ａ、関数・演算子キー１２ｂを操作して任意の関数式を入力する（ステップＣ１２）。これにより、入力された関数式に従ってグラフデータが生成され（ステップＣ１３）、その生成されたグラフデータがＲＡＭ１５の第１レイヤ画像記憶領域１５ｂに書き込まれる（ステップＣ１４）。
【００６３】
ここで、表示対象とするレイヤを表わすフラグをｎとすると、まず、ｎ＝０が設定される（ステップＣ１５）。そして、ＲＡＭ１５の第１レイヤ画像記憶領域１５ｂに記憶されたグラフデータと第２レイヤ画像記憶領域１５ｃに記憶された画像データ（背景画像）とが合成されてＲＡＭ１５の表示データ記憶領域１５ａに展開され（ステップＣ１６）、その合成画像が表示部１３の画面上に表示される（ステップＣ１７）。
【００６４】
すなわち、ｎ＝０のときは、第２レイヤの画像データが背景として画面全体に表示され、その上に第１レイヤのグラフデータが重ね表示されることになる。この状態で、ユーザによりキー入力部１２に設けられた「切替」キー１２ｈが操作されると（ステップＣ１８のＹｅｓ）、フラグｎの値に応じて、以下のような表示対象とするレイヤが切り替えられる（ステップＣ１９）。
【００６５】
すなわち、「切替」キー１２ｈが操作されたときに、ｎ＝０であった場合には、第２レイヤが表示対象となり、ＲＡＭ１５の第２レイヤ画像記憶領域１５ｃに記憶された画像データ（背景画像）のみがＲＡＭ１５の表示データ記憶領域１５ａに展開されて、表示部１３の画面上に表示される（ステップＣ２１）。このとき、予めキャプチャ画像の加工モードが設定されている場合に、当該画像データに対し、上述した加工処理が施される（ステップＣ２０）。
【００６６】
表示後、ｎ＝１にセットされて、ステップＣ１８に戻る。そして、ｎ＝１で、「切替」キー１２ｈが操作された場合には、第１レイヤが表示対象となり、ＲＡＭ１５の第１レイヤ画像記憶領域１５ｂに記憶されたグラフデータのみがＲＡＭ１５の表示データ記憶領域１５ａに展開されて、表示部１３の画面上に表示される（ステップＣ２３）。このグラフデータはキー操作可能なリアルなデータであるため、加工処理は行われない。
【００６７】
表示後、ｎ＝２にセットされて、ステップＣ１８に戻る。そして、ｎ＝２で、「切替」キー１２ｈが操作された場合にはステップＣ１５に戻り、再び、背景画像とグラフデータとが合成されて表示部１３の画面上に表示される（ステップＣ１６，Ｃ１７）。
【００６８】
（ｄ）電子教材作成
次に、電子教材データにキャプチャ画像を利用する場合を想定して説明する。
【００６９】
この電子計算機１０には、グラフ関数を学習するための学習支援ツールとして「ｅ−Ａｃｔｉｖｉｔｙ」と呼ばれる電子教材機能が備えられている。この電子教材機能は、教師が教材を作成するためのものであるが、複雑な関数電卓操作を生徒に分かりやすく説明するために、教師が操作ガイドを作成するためにも用いられる。その操作ガイドとして、全画面をキャップした画像が利用され、そのキャプチャ画像が電子教材データに貼り付けられて生徒に提供される。
【００７０】
図７は電子計算機１０に備えられたＣＰＵ１１によって実行される電子教材作成に関する処理動作を示すフローチャートである。
【００７１】
ユーザがキー入力部１２に設けられた「ＭＥＮＵ」キー１２ｃの操作により「電子教材作成」を選択すると（ステップＤ１１のＹｅｓ）、図示せぬ電子教材作成用入力画面が表示部１３に表示される（ステップＤ１２）。
【００７２】
この電子教材作成用入力画面において、任意のテキストあるいは画像を入力できる。テキスト入力であれば（ステップＤ１３のＹｅｓ）、数値・記号キー１２ａの操作により、電子教材データの文字・記号列が入力される（ステップＤ１４）。
【００７３】
一方、画像入力であれば（ステップＤ１５のＹｅｓ）、学習対象とする関数グラフなどを表示した画面のキャプチャ画像が選択されて（ステップＤ１６）、その画像データが電子教材データに貼り付けられる（ステップＤ１８）。このとき、予めキャプチャ画像の加工モードが設定されている場合に、当該画像データに対し、上述した加工処理が施される（ステップＤ１７）。
【００７４】
テキストあるいは画像の入力後、保存が指示されると（ステップＤ１９のＹｅｓ）、その入力されたテキストあるいは画像を含む電子教材データに名前が付けられて、ＲＡＭ１５の電子教材記憶領域１５ｅに保存される（ステップＤ２０）。
【００７５】
（ｅ）電子教材実行（キャプチャ画像の表示２）
図８は電子計算機１０に備えられたＣＰＵ１１によって実行される電子教材実行に関わる処理動作を示すフローチャートである。
【００７６】
ユーザがキー入力部１２に設けられた「ＭＥＮＵ」キー１２ｃの操作により「電子教材実行」を選択すると（ステップＥ１１のＹｅｓ）、電子教材データのファイルが選択され、ＲＡＭ１５の電子教材記憶領域１５ｅから該当する電子教材データが読み出される（ステップＥ１２）。
【００７７】
ここで、読み出された電子教材データに画像データが貼り付けられていた場合に（ステップＥ１３のＹｅｓ）、その画像データがＲＡＭ１５の表示データ記憶領域１５ａに展開されて、表示部１３の画面上に表示される（ステップＥ１５）。このとき、予めキャプチャ画像の加工モードが設定されている場合に、当該画像データに対し、上述した加工処理が施される（ステップＥ１４）。
【００７８】
一方、画像データでなければ（ステップＥ１３のＮｏ）、その電子教材データの文字・記号列がＲＡＭ１５の表示データ記憶領域１５ａに展開されて、表示部１３の画面上に表示される（ステップＥ１６）。
【００７９】
以後、カーソルキー１２ｉによるスクロール操作に従って、次のデータが順次読み出されて（ステップＥ１７，Ｅ１８，Ｅ１９）、前記同様に画像データは加工処理後に表示されることになる。
【００８０】
次に、キャプチャ画像の加工処理について説明する。
【００８１】
図９は通常画像が表示された状態を示す図である。図１０および図１１は加工処理後のキャプチャ画像が表示された状態を示す図である。
【００８２】
図９に示すように、表示部１３に通常画像２１が表示されている状態では、画面上部の所定の位置に電池残量を示す電池マーク２２が表示されている。この通常画像２１は、キー入力操作可能な画像であり、ユーザがキー入力部１２を操作することで適宜更新される。
【００８３】
これに対し、キャプチャ画像２３は上述した画面キャプチャ機能によって取り込まれた固定画像であり、キー入力操作はできない。このキャプチャ画像２３を通常画像２１と区別するため、上述したタイミング（図４のＡ１４，図５のＢ１５，図６のＣ２０，図７のＤ１７，図８のＥ１４）にて、図１０または図１１に示すような加工処理がキャプチャ画像２３に対して施される。
【００８４】
図１０は、キャプチャ画像２３に画面枠２４を追加した例である。図１１は、キャプチャ画像２３から電池マーク２２を消去し、さらに、画面の所定の位置にメッセージ３５を追加した例である。このような表示形態により、ユーザは現在表示されている画像がキャプチャ画像２３であることを容易に判断することができ、通常画像２１と見間違えてキー入力操作することはない。
【００８５】
なお、図１１の例では、電池マーク２２を消去したが、キー入力操作や演算に関係しない情報であれば、電池マーク２２以外のものを消去することでも良い。
【００８６】
以上のように本実施形態によれば、キャプチャ画像をキー入力操作可能な通常の画像と区別して表示できるので、ユーザはキャプチャ画像が表示されていることを視覚的に把握でき、誤った操作を行うことがなくなる。
【００８７】
また、キャプチャ画像を通常画像と区別表示するための加工処理として、画面から取り込んだ画像であることを明示するための情報（枠や文字列、アイコン等）を付加、あるいは、キー入力操作に関係しない情報（電池マーク等）を削除することで、画像に対して大幅な加工を行わずに、キャプチャ画像であることを知らしめことができる。
【００８８】
また、図４に示したように、キャプチャ画像の保存時に区別表示のための加工処理を行えば、キャプチャ画像を表示する度に加工処理を行う必要がなくなるので、ＣＰＵ１１の処理負担を軽減できると共に素早く表示できるといったメリットがある。
【００８９】
また、図６および図８に示したように、キャプチャ画像の表示時に区別表示のための加工処理を行えば、キャプチャ画像をオリジナルの状態つまり画面取り込み時の状態でそのまま保持することができる。
【００９０】
また、図５に示したように、背景のセットアップで通常画像と異なるレイヤにキャプチャ画像を設定する際に区別表示のための加工処理を行えば、レイヤの切替え表示をスムーズにでき、背景だけが表示されたときにはキャプチャ画像であることを知らしめることができる。
【００９１】
また、図７に示したように、電子教材データにキャプチャ画像を貼り付ける際に区別表示のための加工処理を行えば、その電子教材データを生徒が使うときに、画面上に表示された画像がキャプチャ画像であることを知らしめることができる。
【００９２】
なお、カラー表示可能な電子計算機１０の特性を活かして、キャプチャ画像に対して、赤色等の目立つ色で画面枠を追加すれば、表示されたときにキャプチャ画像であることをより確実に知らしめることができる。
【００９３】
また、前記実施形態において記載した電子計算機１０による各動作手法、すなわち、図４乃至８の各フローチャートで示した手法は、コンピュータに実行させることのできるプログラムとして、メモリカード（ＲＯＭカード、ＲＡＭカード等）、磁気ディスク（フレシキプルディスク、ハードディスク等）、光ディスク（ＣＤ−ＲＯＭ、ＤＶＤ等）、半導体メモリ等の記憶媒体に記録して配布することができる。そして、電子計算機１０のコンピュータ（ＣＰＵ１１）は、この記憶媒体に記録されたプログラムを読み込みことで、前述した手法による同様の処理を実行することができる。
【００９４】
また、前記手法を実現するためのプログラムのデータは、プログラムコードの形態として通信ネットワーク（公衆回線）を介して伝送させることができる。そして、電子計算機１０のコンピュータ（ＣＰＵ１１）は、このプログラムを通信ネットワークに接続された通信装置（通信制御部１８）にて受信することにより、前述した手法による同様の処理を実行することができる。
【００９５】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９６】
１０…電子計算機、
１１…ＣＰＵ、
１１ａ…画面取り込み部、
１１ｂ…加工処理部、
１１ｃ…表示制御部、
１１ｄ…背景設定部、
１１ｅ…電子教材作成部、
１２…キー入力部、
１２ａ…数値・記号キー、
１２ｂ…関数・演算子キー、
１２ｃ…「ＭＥＮＵ」キー、
１２ｄ…「ＳＨＩＦＴ」キー、
１２ｅ…「Ｃｏｌｏｒ」キー、
１２ｆ…「Ｃａｐｔｕｅｒ」キー
１２ｇ…「Ｇｒａｐｈ」キー、
１２ｈ…「切替」キー、
１２ｉ…カーソルキー、
Ｆ１〜Ｆ６…ファンクションキー、
１３…表示部、
１４…メモリ、
１４ａ…表示制御プログラム、
１５…ＲＡＭ、
１５ａ…表示データ記憶領域、
１５ｂ…第１レイヤ画像記憶領域、
１５ｃ…第２レイヤ画像記憶領域、
１５ｄ…キャプチャ画像記憶領域、
１５ｅ…電子教材記憶領域、
１６…カードＩＦ、
１７…メモリカード、
１８…通信制御部。
【図１】
0005589502.tif 000002
【図２】
0005589502.tif 000003
【図３】
0005589502.tif 000004
【図４】
0005589502.tif 000005
【図５】
0005589502.tif 000006
【図６】
0005589502.tif 000007
【図７】
0005589502.tif 000008
【図８】
0005589502.tif 000009
【図９】
0005589502.tif 000010
【図１０】
0005589502.tif 000011
【図１１】
0005589502.tif 000012